【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
画像の記録を行うために液体を吐出するために用いられる熱エネルギーを発生してＮ個のエネルギー発生素子が所定方向に配列された素子列を有する記録ヘッドと、
前記記録ヘッドの温度に関する情報を取得する取得手段と、
前記取得手段により取得された前記記録ヘッドの温度に関する情報に基づいて、液体が吐出されない程度に前記素子列内のエネルギー発生素子に駆動パルスを印加することにより熱エネルギーを発生して前記記録ヘッドを加熱する加熱手段と、
前記素子列内のＭ（Ｍ＜Ｎ）個のエネルギー発生素子による液体の吐出を許容する第１の記録モードを少なくとも含む複数の記録モードの中から実行する記録モードを選択する選択手段と、
前記選択手段によって選択された記録モードにしたがって前記素子列内のエネルギー発生素子に駆動パルスを印加することにより前記記録ヘッドからインクを吐出させて記録を行う記録制御手段と、を有するインクジェット記録装置であって、
前記加熱手段は、前記選択手段によって前記第１の記録モードが選択された場合、前記Ｍ個のエネルギー発生素子に駆動パルスを印加し、前記Ｍ個のエネルギー発生素子以外には駆動パルスを印加しないことを特徴とするインクジェット記録装置。
【請求項２】
前記複数の記録モードは、前記素子列内のＬ（Ｍ＜Ｌ≦Ｎ）個のエネルギー発生素子による液体の吐出を許容する第２の記録モードを更に含み、
前記加熱手段は、前記選択手段によって前記第２の記録モードが選択された場合、前記Ｌ個のエネルギー発生素子に駆動パルスを印加し、前記Ｌ個のエネルギー発生素子以外には駆動パルスを印加しないことを特徴とする請求項１に記載のインクジェット記録装置。
【請求項３】
Ｌ＝Ｎであることを特徴とする請求項２に記載のインクジェット記録装置。
【請求項４】
前記記録制御手段は、前記選択手段によって選択された記録モードにしたがって前記記録ヘッドを記録媒体上の単位領域に対して複数回走査させながらインクを吐出させ、
前記加熱手段は、前記記録制御手段によるインクの吐出を伴った走査と走査の間に前記素子列内のエネルギー発生素子に駆動パルスを印加して前記記録ヘッドの加熱を行うことを特徴とする請求項２または３に記載のインクジェット記録装置。
【請求項５】
前記第１の記録モードは、前記記録制御手段によって前記記録ヘッドを前記単位領域に対して第１の回数走査させて記録を行う記録モードであって、
前記第２の記録モードは、前記記録制御手段によって前記記録ヘッドを前記単位領域に対して前記第１の回数よりも少ない第２の回数走査させて記録を行う記録モードであることを特徴とする請求項４に記載のインクジェット記録装置。
【請求項６】
前記加熱手段は、前記取得手段によって取得された前記情報が示す記録ヘッドの温度が所定の温度よりも低い場合に前記素子列内のエネルギー発生素子に駆動パルスを印加し、且つ、前記取得手段によって取得された前記情報が示す記録ヘッドの温度が前記所定の温度以上である場合に前記素子列内のエネルギー発生素子に駆動パルスを印加しないことを特徴とする請求項１から５のいずれか１項に記載のインクジェット記録装置。
【請求項７】
前記加熱手段は、前記選択手段によって前記第１の記録モードが選択された場合、前記素子列内の前記Ｍ個のエネルギー発生素子以外の（Ｎ−Ｍ）個のエネルギー発生素子には駆動パルスを印加しないことを特徴とする請求項１から６のいずれか１項に記載のインクジェット記録装置。
【請求項８】
前記加熱手段は、前記選択手段によって前記第１の記録モードが選択された場合、前記素子列内の前記Ｍ個のエネルギー発生素子のうちの前記所定方向における一方の端部のエネルギー発生素子から発生する熱エネルギーが、前記素子列内の前記Ｍ個のエネルギー発生素子のうちの前記所定方向における中央部のエネルギー発生素子から発生する熱エネルギーよりも高くなるように、前記Ｍ個のエネルギー発生素子に駆動パルスを印加することを特徴とする請求項１から７のいずれか１項に記載のインクジェット記録装置。
【請求項９】
前記加熱手段は、前記取得手段により取得された前記情報が示す前記記録ヘッドの温度に応じて互いに異なるパルス幅を有する複数の駆動パルスの中から１つの駆動パルスを決定し、決定された駆動パルスを前記素子列内のエネルギー発生素子に印加することで熱エネルギーを発生して前記記録ヘッドを加熱することを特徴とする請求項１から８のいずれか１項に記載のインクジェット記録装置。
【請求項１０】
前記液体は、少なくとも顔料を含有するインクであることを特徴とする請求項１から９のいずれか１項に記載のインクジェット記録装置。
【請求項１１】
前記素子列内の前記Ｎ個のエネルギー発生素子は、同じ色のインクを吐出するために用いられる熱エネルギーを発生することを特徴とする請求項１０に記載のインクジェット記録装置。
【請求項１２】
画像の記録を行うために液体を吐出するために用いられる熱エネルギーを発生してＮ個のエネルギー発生素子が所定方向に配列された素子列を有する記録ヘッドを用いて画像を記録するインクジェット記録方法であって、
前記記録ヘッドの温度に関する情報を取得する取得工程と、
前記取得工程により取得された前記記録ヘッドの温度に関する情報に基づいて、液体が吐出されない程度に前記素子列内のエネルギー発生素子に駆動パルスを印加することにより熱エネルギーを発生して前記記録ヘッドを加熱する加熱工程と、
前記素子列内のＭ（Ｍ＜Ｎ）個のエネルギー発生素子による液体の吐出を許容する第１の記録モードを少なくとも含む複数の記録モードの中から実行する記録モードを選択する選択工程と、
前記選択工程によって選択された記録モードにしたがって前記素子列内のエネルギー発生素子に駆動パルスを印加することにより前記記録ヘッドからインクを吐出させて記録を行う記録制御工程と、を有し、
前記加熱工程は、前記選択工程によって前記第１の記録モードが選択された場合、前記Ｍ個のエネルギー発生素子に駆動パルスを印加し、前記Ｍ個のエネルギー発生素子以外には駆動パルスを印加しないことを特徴とするインクジェット記録方法。
【手続補正２】
【補正対象書類名】明細書
【補正対象項目名】発明の名称
【補正方法】変更
【補正の内容】
【発明の名称】インクジェット記録装置およびインクジェット記録方法
【手続補正３】
【補正対象書類名】明細書
【補正対象項目名】０００１
【補正方法】変更
【補正の内容】
【０００１】
本発明は、インクジェット記録装置およびインクジェット記録方法に関するものである。
【手続補正４】
【補正対象書類名】明細書
【補正対象項目名】００１１
【補正方法】変更
【補正の内容】
【００１１】
上記課題を鑑みて、本願発明は、画像の記録を行うために液体を吐出するために用いられる熱エネルギーを発生してＮ個のエネルギー発生素子が所定方向に配列された素子列を有する記録ヘッドと、前記記録ヘッドの温度に関する情報を取得する取得手段と、前記取得手段により取得された前記記録ヘッドの温度に関する情報に基づいて、液体が吐出されない程度に前記素子列内のエネルギー発生素子に駆動パルスを印加することにより熱エネルギーを発生して前記記録ヘッドを加熱する加熱手段と、前記素子列内のＭ（Ｍ＜Ｎ）個のエネルギー発生素子による液体の吐出を許容する第１の記録モードを少なくとも含む複数の記録モードの中から実行する記録モードを選択する選択手段と、前記選択手段によって選択された記録モードにしたがって前記素子列内のエネルギー発生素子に駆動パルスを印加することにより前記記録ヘッドからインクを吐出させて記録を行う記録制御手段と、を有するインクジェット記録装置であって、前記加熱手段は、前記選択手段によって前記第１の記録モードが選択された場合、前記Ｍ個のエネルギー発生素子に駆動パルスを印加し、前記Ｍ個のエネルギー発生素子以外には駆動パルスを印加しないことを特徴とする。